(57)【特許請求の範囲】
【請求項１】
毛髪や糸くず等の塵芥の付着した物品から前記塵芥を除去する塵芥除去装置であって、前記塵芥を絡め取るためのフック状又は鉤状の除去部材を回転周面に形成した回転体と、前記回転体を回動自在に支持する支持部材と、搬送面と前記回転体の間に前記物品を搬送面に沿って搬送する搬送装置とを有し、前記物品を前記搬送面と前記回転体の間を通過させながら、前記塵芥を前記除去部材に絡め取らせて除去し、
前記回転体は回転ローラで、前記回転ローラの両側面の円盤体には同軸状に回転軸が突設され、
前記回転軸は一対の支持部材により回動自在に支持され、
各支持部材は３本の縦溝を刻設して互いに対向して固定され、
中央の縦溝の底部には前記回転軸を回動自在に支持する円弧部が形成され、
前記回転体は回動自在の状態で前記搬送面に対して上下方向に移動可能に配置され、
中央の前記縦溝の前後に配置された縦溝の底部に形成された円弧部には、夫々、物品の巻き込み防止用ワイヤを張設するための支持軸が夫々、遊動自在に支持され、
巻き込み防止用ワイヤは中間部を前記回転体の下端側に接触させて前記支持軸の間に張設され、
巻き込み防止用ワイヤの後端部はコイルばねを介してストッパ部材に係止され、
前記巻き込み防止用ワイヤを前記中間部を下側にして下向きに凸状に張設しながら、前記ストッパ部材から引き出す前記後端部の長さを調整することにより、巻き込み防止用ワイヤの張力を可変設定できる張力調整部を構成
することを特徴とする塵芥除去装置。
【請求項２】
前記物品が通過する側の前記回転体の通過側側面と前記巻き込み防止用ワイヤの間に配設した当接部材を備え、前記通過側に回り込む前記物品の前端部を前記当接部材に当接させて前記搬送方向側に案内して、前記巻き込みを防止した請求項１に記載の塵芥除去装置。
【請求項３】
前記除去部材は、基材面に前記フックを密集して形成した面状ファスナーからなる請求項１又は２に記載の塵芥除去装置。
【請求項４】
前記除去部材は、基材面の表裏に前記フックを密集して形成した両面型面状ファスナーからなり、基材面にループを密集して形成した取着用面状ファスナーを前記回転体の本体に取着し、前記両面型面状ファスナーのいずれか一方の面の前記フックを前記ループに係合させて取着し、他方の面の前記フックにより前記塵芥の除去を行う請求項１〜３のいずれかに記載の塵芥除去装置。
【請求項５】
前記物品はカーペット、クロス、マット、払拭体のいずれかのダストコントロール製品である請求項１〜４のいずれかに記載の塵芥除去装置。
【発明の詳細な説明】
【技術分野】
【０００１】
本発明は、例えば清掃用物品に付着した毛髪や糸くず等の細かな塵芥を除去する塵芥除去方法及び塵芥除去装置に関するものである。
【背景技術】
【０００２】
この種の清掃用物品、例えば、玄関マットやフロアマット、クロス等はレンタル商品として提供され、レンタル業者によって回収され、再生処理されて繰り返し使用されている。
【０００３】
清掃用物品の再生処理は、例えばレンタルマットの場合、特許文献１に開示されているマット洗浄機などを用いて洗浄して行われている。特許文献１のマット洗浄機はパイル側の表面に圧力波を与え、パイル間の砂、泥、汚れ及び異物を落とす圧力波式洗浄機である。特に、特許文献２には洗浄処理を経てモップのパイルに残留した毛髪を毛髪処理剤により除去する除去方法が開示されている。
【先行技術文献】
【特許文献】
【０００４】
【特許文献１】特開２００２−２３９４９０号公報
【特許文献２】特開平７−４８５９４号公報
【発明の概要】
【発明が解決しようとする課題】
【０００５】
従来のマット洗浄機による洗浄では、パイル側の表面に圧力波を直接衝突させて、パイル間の砂や泥等を落としているが、パイル間に絡み付いた毛髪や糸くず等の細かな塵芥を完全に除去するのが難しく残留した。圧力波を強くすれば、かかる毛髪や糸くず等もほぼ除去することも可能であるが、パイルに損傷を与えてしまい商品価値が低下するおそれがあった。また、特許文献２に開示された毛髪処理剤による薬剤処理を過度に行うとパイル等を劣化させるおそれがあった。従って、従来の洗浄工程の後には、残存した毛髪等を除去するための、手作業による毛髪等の除去作業工程を必要としており、再生作業の効率が向上しないといった問題を生じていた。
【０００６】
本発明の目的は、上記課題に鑑み、物品に絡み付いた毛髪や糸くず等の細かな塵芥を物品に損傷を与えずに自動除去して、物品再生作業効率の向上を図ることのできる塵芥除去方法及び塵芥除去装置を提供することである。
【課題を解決するための手段】
【０００７】
本発明者は上記課題につき鋭意検討した結果、毛髪の自動除去に際して、金属ブラシや櫛歯状硬質部材によってパイルから毛髪等を掻き取ると、パイル等を痛めると共に、物品搬送過程での摩擦抵抗が大きすぎて自動化に適さないことが判明し、一方ファスナーに使用されているフック状係合素子が比較的ソフトタッチで接触しパイルと絡み合って毛髪等の除去を円滑に行える知見を得るに至った。本発明はかかる知見に基づきなされたものであり、本発明の第1の形態は、毛髪や糸くず等の細かな塵芥の付着した物品から前記塵芥を除去する塵芥除去方法であって、前記塵芥を絡め取るためのフック状又は鉤状の除去部材を回転周面に形成した回転体を回動自在に支持すると共に前記物品の搬送面に対向配置し、前記物品を前記回転体と前記搬送面の間を通過させながら、前記塵芥を前記除去部材に絡め取らせて除去することを特徴とする塵芥除去方法である。
【０００８】
本発明の第２の形態は、第１の形態において、前記回転体を前記回動自在の状態で前記搬送面に対して上下方向に移動可能に配置した塵芥除去方法である。
【０００９】
本発明の第３の形態は、第1又は第２の形態において、前記搬送面の搬送方向の前後に亘って張設され、中間部を前記回転体の下端側に接触させた線材を配設し、前記線材により前記物品の前記回転体への巻き込みを防止した塵芥除去方法である。
【００１０】
本発明の第４の形態は、第３の形態において、前記物品が通過する側の前記回転体の通過側側面と前記線材の間に、当接部材を配設し、前記通過側に回り込む前記物品の前端部を前記当接部材に当接させて前記搬送方向側に案内して、前記巻き込みを防止した塵芥除去方法である。
【００１１】
本発明の第５の形態は、第１〜第４のいずれかの形態において、前記除去部材は、基材面に前記フックを密集して形成した面状ファスナーからなる塵芥除去方法である。
【００１２】
本発明の第６の形態は、第１〜第５のいずれかの形態において、前記除去部材は、基材面の表裏に前記フックを密集して形成した両面型面状ファスナーからなり、基材面にループを密集して形成した取着用面状ファスナーを前記回転体の本体に取着し、前記両面型面状ファスナーのいずれか一方の面の前記フックを前記ループに係合させて取着し、他方の面の前記フックにより前記塵芥の除去を行う塵芥除去方法である。
【００１３】
本発明の第７の形態は、第１〜第６のいずれかの形態において、前記物品はカーペット、クロス、マット、払拭体のいずれかのダストコントロール製品である塵芥除去方法である。
【００１４】
本発明の第８の形態は、毛髪や糸くず等の塵芥の付着した物品から前記塵芥を除去する塵芥除去装置であって、前記塵芥を絡め取るためのフック状又は鉤状の除去部材を回転周面に形成した回転体と、前記回転体を回動自在に支持する支持部材と、前記搬送面と前記回転体の間に前記物品を搬送面に沿って搬送する搬送装置とを有し、前記物品を前記搬送面と前記回転体の間を通過させながら、前記塵芥を前記除去部材に絡め取らせて除去する塵芥除去装置である。
【００１５】
本発明の第９の形態は、第８の形態において、前記回転体を前記回動自在の状態で前記搬送面に対して上下方向に移動可能に配置した塵芥除去装置である。
【００１６】
本発明の第１０の形態は、第８又は第９の形態において、前記搬送面の搬送方向の前後に亘って張設され、中間部を前記回転体の下端側に接触させた線材を配設し、前記線材により前記物品の前記回転体への巻き込みを防止した塵芥除去装置である。
【００１７】
本発明の第１１の形態は、第１０の形態において、前記線材を前記中間部を下側にして下向きに凸状に張設し、少なくとも前記線材の一端側に張力調整部を設けた塵芥除去装置である。
【００１８】
本発明の第１２の形態は、第１０又は第１１の形態において、前記物品が通過する側の前記回転体の通過側側面と前記線材の間に配設した当接部材を備え、前記通過側に回り込む前記物品の前端部を前記当接部材に当接させて前記搬送方向側に案内して、前記巻き込みを防止した塵芥除去装置である。
【００１９】
本発明の第１３の形態は、第８〜第１２のいずれかの形態において、前記除去部材は、基材面に前記フックを密集して形成した面状ファスナーからなる塵芥除去装置である。
【００２０】
本発明の第１４の形態は、第８〜第１３のいずれかの形態において、前記除去部材は、基材面の表裏に前記フックを密集して形成した両面型面状ファスナーからなり、基材面にループを密集して形成した取着用面状ファスナーを前記回転体の本体に取着し、前記両面型面状ファスナーのいずれか一方の面の前記フックを前記ループに係合させて取着し、他方の面の前記フックにより前記塵芥の除去を行う塵芥除去装置である。
【００２１】
本発明の第１５の形態は、第８〜第１４のいずれかの形態において、前記物品はカーペット、クロス、マット、払拭体のいずれかのダストコントロール製品である塵芥除去装置である。
【発明の効果】
【００２２】
本発明の第１の形態によれば、前記塵芥を絡め取るためのフック状又は鉤状の除去部材を回転周面に形成した前記回転体を回動自在に支持すると共に前記物品の搬送面に対向配置し、前記物品を前記回転体と前記搬送面の間を通過させながら、前記塵芥を前記除去部材に絡め取らせて除去するので、毛髪や糸くず等の細かな塵芥を物品に損傷を与えずに自動除去して、物品再生作業効率の向上を図ることができる。
【００２３】
前記除去部材には、フック状係合素子が形設されたファスナーに限定されず、前記回転体と前記搬送面の間を通過するときの摩擦抵抗の大きすぎないフック状又は鉤状の部材を使用することができる。前記搬送面は搬送コンベア機構や搬送チェーン機構からなる搬送装置により形成することができる。
【００２４】
本発明は、カーペット、クロス、マット、払拭体等のダストコントロール製品を主な除去処理対象とするが、その他に不要な毛髪等が付着しやすい室内用敷物等にも適用することができる。
【００２５】
マット等の物品においては、その表面に形設したパイル等により物品の厚さが物品自体も含めて種々異なるため、前記回転体と前記搬送面との間隔を固定したときには、厚い物品を通過させる際に、前記除去部材との摩擦抵抗が大きくなり、前記除去部材が噛み込んで通過不良や物品が前記回転体に巻き込まれたりするおそれを生ずる。そこで、本発明の第２の形態によれば、前記回転体を前記回動自在の状態で前記搬送面に対して上下方向に移動可能に配置することにより、厚みの大きい物品が搬送された場合には前記回転体がその物品からの抗力を受けて上方に移動して前記除去部材との摩擦抵抗を緩和して過度の噛み込みを防止し、円滑な物品搬送及び塵埃除去を行うことができる。
【００２６】
本発明の第３の形態によれば、前記搬送面の搬送方向の前後に亘って張設され、中間部を前記回転体の下端側に接触させた線材を配設し、前記線材により前記物品の前記回転体への巻き込みを防止するので、前記物品の前進側端部が前記除去部材と係合して前記回転体の通過側に巻き込まれかけても前記線材に当接して、前記回転体の通過時に速やかに分離され、円滑な物品搬送及び塵埃除去を行うことができる。
【００２７】
前記物品の可撓性の大きい素材からなる場合などにおいては、前記物品の前進側端部が前記除去部材と係合して前記通過側に巻き込まれかけたとき、前記線材に当接しても分離されずに、前記回転体に巻き付いてしまう事態を生ずる。そこで、本発明の第４の形態によれば、前記物品が通過する側の前記回転体の通過側側面と前記線材の間に、当接部材を配設し、前記通過側に回り込む前記物品の前端部を前記当接部材に当接させて前記搬送方向側に案内して、前記巻き込みを防止するので、前記当接部材への当接により前記物品の前端部と前記除去部材との係合を強制的に解除して剥離し、より確実に物品搬送及び塵埃除去の円滑化を実現することができる。
【００２８】
本発明の第５の形態によれば、前記除去部材は、基材面に前記フックを密集して形成した面状ファスナーからなるので、前記フック（係合素子）がソフトタッチで接触してパイル等と絡み合って毛髪等の除去を円滑に行え、しかも前記回転体に巻き付けて装着でき、簡易に前記フックを前記回転周面に形成することができる。
【００２９】
本発明の第６の形態によれば、前記除去部材は、基材面の表裏に前記フックを密集して形成した両面型面状ファスナーからなり、基材面にループを密集して形成した取着用面状ファスナーを前記回転体の本体に取着し、前記両面型面状ファスナーのいずれか一方の面の前記フックを前記ループに係合させて取着し、他方の面の前記フックにより前記塵芥の除去を行うので、前記両面型面状ファスナーのいずれか一方の面の前記フックが毛髪等の除去により消耗したとき、裏返して前記取着用面状ファスナーに取着することにより他方の面の前記フックによる塵埃除去を行え、前記除去部材の在庫削減を実現して効率的な塵埃除去作業を行うことができる。
【００３０】
本発明の第７の形態によれば、前記物品として、カーペット、クロス、マット、払拭体のいずれかのダストコントロール製品に適用することにより、例えば、これらをレンタル商品として使用する際の再生処理作業の効率化、省人化及び再生処理費用の削減の向上に寄与する。
【００３１】
本発明の第８の形態によれば、前記塵芥を絡め取るためのフック状又は鉤状の除去部材を回転周面に形成した前記回転体を前記支持部材により回動自在に支持すると共に前記物品の搬送面に対向配置し、前記物品を前記搬送装置の搬送駆動により前記回転体と前記搬送面の間を通過させながら、前記塵芥を前記除去部材に絡め取らせて除去するので、毛髪や糸くず等の細かな塵芥を物品に損傷を与えずに自動除去して、物品再生作業効率の向上を図ることのできる塵芥除去装置を提供することが可能となる。
【００３２】
本発明の第９の形態によれば、前記回転体を前記回動自在の状態で前記搬送面に対して上下方向に移動可能に配置することにより、厚みの大きい物品が搬送された場合には前記回転体がその物品からの抗力を受けて上方に移動して前記除去部材との摩擦抵抗を緩和して過度の噛み込みを防止し、円滑な物品搬送及び塵埃除去を行うことのできる塵芥除去装置を提供することが可能となる。
【００３３】
本発明の第１０の形態によれば、前記搬送面の搬送方向の前後に亘って張設され、中間部を前記回転体の下端側に接触させた線材を配設し、前記線材により前記物品の前記回転体への巻き込みを防止するので、前記物品の前進側端部が前記除去部材と係合して前記回転体の通過側に巻き込まれかけても前記線材に当接して、前記回転体の通過時に速やかに分離され、円滑な物品搬送及び塵埃除去を行うことのできる塵芥除去装置を提供することが可能となる。
【００３４】
本発明の第１１の形態によれば、前記線材を前記中間部を下側にして下向きに凸状に張設し、少なくとも前記線材の一端側に設けた張力調整部により、前記中間部が弛まずに前記除去部材に埋没する適切な状態に張力調整を行え、円滑な物品搬送及び塵埃除去を行うことのできる塵芥除去装置を提供することが可能となる。
【００３５】
本発明の第１２の形態によれば、前記物品が通過する側の前記回転体の通過側側面と前記線材の間に、当接部材を配設し、前記通過側に回り込む前記物品の前端部を前記当接部材に当接させて前記搬送方向側に案内して、前記巻き込みを防止するので、前記当接部材への当接により前記物品の前端部と前記除去部材との係合を強制的に解除して剥離し、より確実に物品搬送及び塵埃除去の円滑化を実現することのできる塵芥除去装置を提供することが可能となる。
【００３６】
本発明の第１３の形態によれば、前記除去部材は、基材面に前記フックを密集して形成した面状ファスナーからなるので、前記フック（係合素子）がソフトタッチで接触してパイル等と絡み合って毛髪等の除去を円滑に行え、しかも前記回転体に巻き付けて装着でき、簡易に前記フックを前記回転周面に形成することのできる塵芥除去装置を提供することが可能となる。
【００３７】
本発明の第１４の形態によれば、前記除去部材は、基材面の表裏に前記フックを密集して形成した両面型面状ファスナーからなり、基材面にループを密集して形成した取着用面状ファスナーを前記回転体の本体に取着し、前記両面型面状ファスナーのいずれか一方の面の前記フックを前記ループに係合させて取着し、他方の面の前記フックにより前記塵芥の除去を行うので、前記両面型面状ファスナーのいずれか一方の面の前記フックが毛髪等の除去により消耗したとき、裏返して前記取着用面状ファスナーに取着することにより他方の面の前記フックによる塵埃除去を行え、前記除去部材の在庫削減を実現して効率的な塵埃除去作業を行うことのできる塵芥除去装置を提供することが可能となる。
【００３８】
本発明の第１５の形態によれば、前記物品として、カーペット、クロス、マット、払拭体のいずれかのダストコントロール製品に適用することにより、例えば、これらをレンタル商品として使用する際の再生処理作業の効率化、省人化及び再生処理費用の削減の向上を図ることのできる塵芥除去装置を提供することが可能となる。
【図面の簡単な説明】
【００３９】
【図１】本発明の一実施形態である塵埃除去装置３を設置したマット処理装置の側面構成図である。
【図２】塵埃除去装置３の平面図である。
【図３】塵埃除去装置３に用いるフックライナー１１の構成図である。
【図４】フックライナー１１の軸支構造及びワイヤ調整機構の側面構成図である。
【発明を実施するための形態】
【００４０】
本発明の実施形態に係る塵埃除去装置を図面を参照して以下に説明する。
本実施形態は、パイルｍが多数、基材ｂの表面に植設されたレンタル用マットＭの再生処理工程における、表面処理剤塗布部４の手前に塵埃除去装置３を設置した設置例である。
図１は塵埃除去装置３を設置した表面処理剤塗布用マット処理装置の側面構成図である。
【００４１】
表面処理剤塗布用マット処理装置は、架台１上部に設置された搬送コンベア２、搬送コンベア２の搬送面に配置された塵埃除去装置３及び表面処理剤塗布部４からなる。前記搬送面は作業床面６に対して作業者がマットＭを搬入しやすい高さに、架台１の脚部５の長さにより設定されている。表面処理剤塗布部４は、搬送コンベア２を挟んで対向配置された塗布ローラ４ａ及び押圧ローラ４ｂ、塗布ローラ４ａのローラ面に対向し、コーティングオイルタンク４ｃから供給されるシリコンオイル（表面処理剤）を滴下塗布するディスペンサノズル４ｄからなる。マット洗浄機（図示せず）による洗浄工程において、パイル間の砂、泥、汚れ及び異物を落とされたマットＭは、搬送コンベア２の搬送面に載置される。マットＭは搬送されながら塵埃除去装置３を通過して毛髪等の細かな塵芥が除去された後、塵埃除去装置３に近接して配設された表面処理剤塗布部４の塗布ローラ４ａ側に押圧ローラ４ｂにより押圧されてパイルに表面処理剤が塗布されて搬出されていく。
【００４２】
搬送コンベア２は複数個の無端ベルトからなり、各ベルトは搬出側の駆動ローラ７と搬入側の従動ローラ８間に巻回され、互いに所定間隔をおいて並列している。搬送コンベア２は単一の無端ベルトで構成されてもよい。駆動ローラ７側にはテンションローラ９が配設されている。駆動ローラ７は駆動モータ（図示せず）に連結され、駆動モータの駆動により回転し、搬送コンベア２を矢印方向、つまり搬入側から搬出側に回動させる。搬出側には、処理済みマットの回収台車１０が配置される。
【００４３】
図２は塵埃除去装置３の平面図である。
塵埃除去装置３は、マットＭのパイルｍに付着した毛髪や糸くず等の塵芥を除去するためのフックライナー１１と、フックライナー１１を回動自在に支持する支持部材１２を有する。図２の４２は、上部枠部１Ａ、１Ｂに内設された従動ローラ８の軸受部を示す。
【００４４】
図３はフックライナー１１の構成を示す。
フックライナー１１は前記塵芥を絡め取るためのフック状又は鉤状の除去部材を回転周面に形成した回転ローラ（回転体）２０からなる。回転ローラ２０は中空円筒ローラからなる。回転ローラ２０の両側面には円盤体２１が熔着され、両端の円盤体２１には同軸状に回転軸１８が突設されている。
【００４５】
前記除去部材は、基材１６ａの表裏面にフック（係合素子）１６ｂを密集して形成した両面型面状ファスナー１６からなる。両面型面状ファスナー１６は片面にフックを密集して形成した面状ファスナーの一組からなり、各面状ファスナーの基材１６ａ同士を接合して縫着し、表裏面にフック１６ｂを起毛した形態を有する。
【００４６】
両面型面状ファスナー１６の回転ローラ２０への取着状態を図３の拡大部Ａに示す。回転ローラ２０のローラ表面には、取着用面状ファスナー１４が接着剤層１５を介して接合されている。取着用面状ファスナー１４はラバー材１３と、ラバー材１３の表面に密集して縫製加工されたループ１４ａからなる。
両面型面状ファスナー１６は、いずれか一方の面のフック１６ｂを取着用面状ファスナー１４のループ１４ａに係合させて回転ローラ２０に取着されている。両面型面状ファスナー１６は回転ローラ２０の約１／４の円周幅を有し、４枚の両面型面状ファスナー１６が僅かな隙間１７をあけて回転ローラ２０の全面を覆うように取着されている。勿論、１枚の両面型面状ファスナーにより回転ローラ２０の全面を覆って取着することができる。
なお、取着用面状ファスナー１４には、基布にループを密集形成した面状ファスナーを用い、その基布をラバーシートに縫着又は接着した形態のものを使用することができる。
【００４７】
フックライナー１１は、搬送コンベア２との間隙にマットＭを通過させるとき、マットに付着した塵芥を除去部材のフック１６ｂに絡め取らせて除去する塵芥除去機能を有する。また、フックライナー１１は、両面型面状ファスナー１６による除去部材を有しており、両面型面状ファスナー１６のいずれか一方の面のフック１６ｂが毛髪等の除去により消耗したとき、裏返して取着用面状ファスナー１４に取着して取り替えることにより他方の面のフック１６ｂによる塵埃除去を行え、前記除去部材の在庫削減を実現して効率的な塵埃除去作業を行うことができる。両面のフック１６ｂを十分に使用した後は、フック１６ｂに絡み取った毛髪等を櫛やブラシで掻き取りながら真空掃除機により吸引除去して簡易に再生できるので、両面型面状ファスナー１６を再利用することが可能となる。
【００４８】
回転ローラ２０は外径８０ｍｍのＳＵＳ製パイプからなり、回転軸１８の外径は２０ｍｍである。フックライナー１１の自重総量は約１４Ｋｇである。回転軸１８は一対の支持部材１２により回動自在に支持されている。
【００４９】
図４はフックライナー１１の軸支構造（４Ａ）及びワイヤ調整機構（４Ｂ）の側面構成を示す。
一対の支持部材１２は、図２に示すように、搬送コンベア２の両側部に設けた架台１の上部枠部１Ａ、１Ｂに起立して互いに対向配置されている。
【００５０】
支持部材１２は、３本の縦溝２２、２４、２６を刻設したＳＵＳ製板材からなる。支持部材１２の底部１２ａは架台１に固着するためにＬ字形に折り曲げられており、各底部１２ａにて各支持部材１２の縦溝２２、２４、２６が互いに対向して架台１の上部枠部１Ａ、１Ｂにビス止め固定されている。中央の縦溝２２の底部には回転軸１８を回動自在に支持する円弧部２３が形成されている。縦溝２２の溝幅は、回転軸１８が上下方向に摺動可能な幅に形成されている。縦溝２２の前後に配置された縦溝２４、２６には、夫々、マットの巻き込み防止用ワイヤ２８を張設するための支持軸２９、３０を夫々、遊動自在に支持する円弧部２５、２７が形成されている。縦溝２４、２６の溝幅は、支持軸２９、３０が夫々、遊挿可能な幅に形成されている。なお、縦溝２２は鉛直方向に刻設されているが、搬入側に傾斜させて形成してもよい。
【００５１】
回転ローラ２０の回転軸１８には、支持部材１２の板厚の間隔をあけて、回転軸１８より拡径の軸支用フランジ盤１９の一組が形成されている。回転ローラ２０は両端の一組の軸支用フランジ盤１９の各間隙を縦溝２２に嵌入して、一対の支持部材１２に軸支される。回転軸１８はフックライナー１１の自重により円弧部２３に当接して軸支される。回転ローラ２０を支持部材１２に軸支した状態で、フックライナー１１は図２に示すように、搬送コンベア２の搬送方向に直交して配設されている。一組の軸支用フランジ盤１９により縦溝２２周辺の板材を挟み込むので、フリー回転可能な回転ローラ２０が脱離することなく軸支することができる。
【００５２】
フックライナー１１は、搬送コンベア２の搬送面に対し、搬送コンベア２による搬送力を受けて前進移動するマットＭが通過可能な間隔をあけて対向配置されている。フックライナー１１の回転軸１８は、縦溝２２に嵌入され上下移動自在に保持されているので、厚みの大きいマットＭや部分的に厚みが大きいマットＭが搬送された場合にあっても、フックライナー１１がマットＭからの抗力を受けて上方に移動して前記除去部材との摩擦抵抗を緩和して過度の噛み込みを防止し、円滑な物品搬送及び塵埃除去を行うことができる。
【００５３】
マットＭの素材は可撓性を有しており、塵芥除去の際にフック１６ｂに係合したままフックライナー１１に巻き付くおそれがあるので、本実施形態では、巻き込み防止用ワイヤ２８及びスクレーパ３５を配設して、フックライナー１１への巻き込み防止機能を付加している。
【００５４】
巻き込み防止用ワイヤ２８は０．８ｍｍ径のＳＵＳ線材からなり、その中間部を下側にして下向き凸状に、フックライナー１１の搬送方向前後に亘って、支持軸２９、３０間に張設されている。巻き込み防止用ワイヤ２８の前端部３３は締付具３４によりループ状に形成されている。支持軸２９の外周面にはワイヤ線材が埋没可能なワイヤ溝が刻設されており、そのワイヤ溝に前端部３３のループ部分が収設されている。（４Ｂ）に示すように、支持軸３０には軸芯を貫通する貫通穴３０ａが穿設されており、巻き込み防止用ワイヤ２８の後端部が貫通穴３０ａを挿通して、コイルばね３７を介してストッパ部材３８に係止されている。コイルばね３７は支持軸３０の外周面とストッパ部材３８の間に介在して、フックライナー１１の下方に亘り支持軸２９、３０間に張設された巻き込み防止用ワイヤ２８の張力を一定に保持している。コイルばね３７とストッパ部材３８はストッパ部材３８から引き出す前記後端部の長さを調整することにより、巻き込み防止用ワイヤ２８の張力を可変設定できる張力調整部を構成している。この張力調整部による張力調整により、巻き込み防止用ワイヤ２８の中間部が弛まずにフック１６ｂに埋没する適切な状態に張力調整を行うことができる。フック１６ｂは基材１６ａからの高さ１．５〜１．７ｍｍを有し、また、巻き込み防止用ワイヤ２８のワイヤ径０．８ｍｍを考慮して、フックライナー１１の下端側で０．７〜０．９ｍｍの高さ分のフック１６ｂが巻き込み防止用ワイヤ２８から突出するよう弛みなく張力調整するのが好ましい。巻き込み防止用ワイヤ２８及び前記張力調整部は、巻き込み防止効果を高めるうえで複数配置するのが好ましく、所定の間隔をおいて複数組、前記搬送面上に並設されている。
【００５５】
搬送面の搬送方向の前後に亘って巻き込み防止用ワイヤ２８を張設することにより、搬入マットＭの前端部がフック１６ｂに係合したままフックライナー１１に巻き付いても、巻き込み防止用ワイヤ２８に当接してフックライナー１１の通過時に速やかに分離され、円滑な物品搬送及び塵埃除去を行うことができる。
【００５６】
更に、マットの巻き込み防止をより確実にするために、スクレーパ３５がフックライナー１１の搬出側に配設されている。スクレーパ３５は、フックライナー１１のマット通過側側面と巻き込み防止用ワイヤ２８との間に、巻き込み防止用ワイヤ２８に近設して、前記搬送面を横断状に配置された当接板からなる。スクレーパ３５の下端縁はフックライナー１１に近設配置されると共に、スクレーパ３５は巻き込み防止用ワイヤ２８の傾斜方向に傾斜して並設され、図２に示すように、支持軸３０に所定間隔をあけて配設された固定部材３６にビス止め固定されている。
【００５７】
図４の（４Ｃ）は固定部材３６の側面を示す。固定部材３６は一対のカップリング４９を介して支持軸３０に固定されている。カップリング４９は支持軸３０の外径と同径の内径を有した半割状の軸連結用継手である。一対のカップリング４９は互いに突き合わせた状態で支持軸３０に外嵌され、内側凹部にてビス５０によりビス止めされて支持軸３０に固着されている。
固定部材３６は支持軸３０の外側面に当接して外嵌される半月状円弧部４３を有し、下方側のカップリング４９の側部にビス止めするためのビス穴４５が２個穿設されたステー板からなる。カップリング４９の側部にはビス穴４５に対応する２個のビス穴が穿設されている。
【００５８】
円弧部４３の直径ラインに沿って延長した先端部に、ステー板面より直角に折曲されたスクレーパ固定部４４が一体形成されている。スクレーパ固定部４４にはスクレーパ３５固定用ビス穴４６が２個穿設されている。各ビス穴４６に対応して、スクレーパ３５にもビス穴が穿設されている。半月状円弧部４３を支持軸３０の外側面に当接して外嵌した状態で、下方側のカップリング４９の側部のビス穴とビス穴４５を位置合わせして、ビス４８により螺着することにより、固定部材３６はカップリング４９を介して支持軸３０に固定される。この固定により、固定部材３６は巻き込み防止用ワイヤ２８の張設角度と同様の傾斜角で傾斜配置される。更に、上方よりビス穴４６に対応したスクレーパ３５のビス穴を位置合わせして、ビス４７によりビス止めしてスクレーパ３５が固定部材３６に固着される。スクレーパ３５の固定部材３６への固着により、巻き込み防止用ワイヤ２８の傾斜方向に沿って斜めに設置される。なお、スクレーパ３５の前端縁をフックライナー１１の下端近傍まで接近させて配設することができる。
【００５９】
スクレーパ３５をフックライナー１１のマット通過側側面と巻き込み防止用ワイヤ２８の間に配設することにより、搬入マットが巻き込み防止用ワイヤ２８の間を潜って通過側に回り込もうとしても、マット前端部がスクレーパ３５に当接して搬出側に案内され、マット前端部とフック１６ｂとの係合を強制的に解除して剥離し、より確実に物品搬送及び塵埃除去の円滑化を実現することができる。
【００６０】
搬送面の清掃やフックライナー１１のフック切替等の作業時には、支持部材１２の縦溝２２に沿って上方から取り出すことができる。架台１の最前端には、フックライナー受部４１が設置されている。一対のフックライナー受部４１は、夫々上部枠部１Ａ、１Ｂに固着されており、各フックライナー受部４１は支持部材１２と同様の回転軸１８の受溝が形成されている。取り出したフックライナー１１をフックライナー受部４１の受溝に回転軸１８を嵌入、移載して、フック切替作業や付着物の清掃作業を行うことができる。フックライナー受部４１を架台１の最前端の空きスペースを利用して設置でき、作業スペースの削減を図ることができる。
また、ストッパ部材３８の係止を解除することにより巻き込み防止用ワイヤ２８による支持軸２９、３０間の連結を解除することができる。図４の（４Ａ）に示すように、縦溝２２の両側部を上方に延設して、支持軸２９、３０を支持軸移載用の受部３９、４０を設けることにより作業スペースの削減を図ることができる。受部３９、４０は縦溝２４、２６と同様の受溝により形成することができる。
【００６１】
本実施形態では、塵埃除去装置３を表面処理剤塗布部４の直前に設置して、搬送コンベア２を共用して毛髪等の除去処理及び表面処理剤塗布処理をマットＭを搬送しながら連続処理可能にしている。本発明においては、塵埃除去装置３と同様の塵埃除去装置を専用のマット搬送装置と共に単独の装置として構成することができる。
【００６２】
尚、本発明は上記実施形態に限定されるものではなく、本発明の技術的思想を逸脱しない範囲における種々変形例、設計変更などをその技術的範囲内に包含するものであることは云うまでもない。
【産業上の利用可能性】
【００６３】
本発明によれば、カーペット、クロス、マット、払拭体等の物品に付着した毛髪等の細かな塵芥除去を物品に損傷を与えることなく自動除去して、再生作業効率の向上を図ることのできる塵芥除去装置を実現することができる。
【符号の説明】
【００６４】
１      架台
１Ａ    上部枠部
１Ｂ    上部枠部
２      搬送コンベア
３      塵埃除去装置
４      表面処理剤塗布部
４ａ    塗布ローラ
４ｂ    押圧ローラ
４ｃ    コーティングオイルタンク
４ｄ    ディスペンサノズル
５      脚部
６      作業床面
７      駆動ローラ
８      従動ローラ
９      テンションローラ
１０    回収台車
１１    フックライナー
１２    支持部材
１２ａ  底部
１３    ラバー材
１４    取着用面状ファスナー
１４ａ  ループ
１５    接着剤層
１６    両面型面状ファスナー
１６ａ  基材
１６ｂ  フック
１７    隙間
１８    回転軸
１９    軸支用フランジ盤
２０    回転ローラ
２１    円盤体
２２    縦溝
２３    円弧部
２４    縦溝
２５    円弧部
２６    縦溝
２７    円弧部
２８    巻き込み防止用ワイヤ
２９    支持軸
３０    支持軸
３０ａ  貫通穴
３１    保持用フランジ盤
３２    保持用フランジ盤
３３    前端部
３４    締付具
３５    スクレーパ
３６    固定部
３７    コイルばね
３８    ストッパ部材
３９    支持軸受部
４０    支持軸受部
４１    フックライナー受部
４２    軸受部
４３    円弧部
４４    スクレーパ固定部
４５    ビス穴
４６    ビス穴
４７    ビス
４８    ビス
４９    カップリング
５０    ビス
Ｍ      マット
ｍ      パイル
ｂ      基材
【図１】
0005702987.tif 000002
【図２】
0005702987.tif 000003
【図３】
0005702987.tif 000004
【図４】
0005702987.tif 000005